(57)【要約】【課題】  複数枚の軒天井板の長手方向の端縁が真っ直ぐに揃うように取り付けることができるようにする。【解決手段】  軒天井板２の長手方向の両端の立ち上がり縁１にスリット３を夫々設ける。軒屋根に軒梁４，５を架設する。軒梁４，５の間の下方に複数枚の軒天井板２を並べる。軒梁４に取り付けた第１支持金具６に係止片７を突設する。軒梁５の下面に断面略コ字状の第２支持金具８を取着すると共に第２支持金具８の縦片８ｂから縦片８ｃの方に向けて係止片７を突設する。各軒天井板２の長手方向の両端部のスリット３を第１支持金具６及び第２支持金具８の係止片７に夫々差し込む。縁押さえ金具９を第２支持金具８に被せると共に縁押さえ金具９の押さえ片９ａと第２支持金具８の軒先側の縦片８ｂとの間に軒天井板２の立ち上がり縁１を挟んで押さえ片９ａを立ち上がり縁１に押し付けて縁押さえ金具９を第２支持金具８の軒基部側の縦片８ｃに固着する。【選択図】        図１
2005097920.tif 000002
【特許請求の範囲】
【請求項１】
矩形板状の軒天井板の周縁に立ち上がり縁を設けると共に軒天井板の長手方向の両端の立ち上がり縁に差し込み用のスリットを夫々設け、軒屋根の軒先側及び軒先側と反対の軒基部側に夫々軒先の長手方向と平行になるように軒梁を架設し、この軒先側及び軒基部側の軒梁の間の下方に軒天井板の長手方向が軒梁の長手方向と直交すると共に軒梁の長手方向に複数並ぶように複数枚の軒天井板を並べ、軒先側の軒梁に取り付けた第１支持金具の下部に軒基部側に向けて水平に突出するように係止片を突設し、軒基部側の軒梁の下面に上の横片と軒先側及び軒基部側の縦片からなる断面略コ字状の第２支持金具を取着すると共に第２支持金具の軒先側の縦片から他方の縦片の方に向けて水平方向に突出するように係止片を突設し、各軒天井板の長手方向の両端部のスリットを第１支持金具及び第２支持金具の係止片に夫々差し込み、複数枚の軒天井板に亙る長さの縁押さえ金具を第２支持金具に被せると共に縁押さえ金具の押さえ片と第２支持金具の軒先側の縦片との間に軒天井板の立ち上がり縁を挟んで押さえ片を立ち上がり縁に押し付けて縁押さえ金具を第２支持金具の軒基部側の縦片に固着したことを特徴とする軒天井板の取り付け構造。
【請求項２】
第１支持金具に、スリットを係止片に差し込んだ状態で立ち上がり縁の上端を下方に押す傾斜片を設け、縁押さえ金具の押さえ片の上端に、縁押さえ金具を第２支持金具に取り付けて押さえ片を立ち上がり縁に押し付けたとき立ち上がり縁の上端を下方に押す傾斜縁を設けたことを特徴とする請求項１記載の軒天井板の取り付け構造。
【発明の詳細な説明】
【技術分野】
【０００１】
本発明は、建物の軒屋根の下面側に軒天井板を取り付け仕舞う構造に関するものである。
【背景技術】
【０００２】
従来から建物の軒屋根の下面側に軒天井板を貼って外観よく仕舞うことは広く行われている。
【０００３】
その一例として図６に示すように周縁に立ち上がり縁１′を設けた矩形板状の軒天井板２′を左右に並べ、各軒天井板２′の長手方向の一端側を吊り金具ｂにて軒下地に吊り支持すると共に各軒天井板２′の長手方向の他端側を取り付け片ａの軒下地への固着にて取り付けたものが知られており（例えば、特許文献１参照）、詳しくは下記のように構成されている。
【０００４】
矩形状の軒天井板２′の四周の周縁には軒天井板２′の長手方向と平行な立ち上がり縁１ａ′と軒天井板２′の短手方向と平行の立ち上がり縁１ｂ′からなる立ち上がり縁１′を設けてあり、軒天井板２′の長手方向の一端側では立ち上がり縁１ａ′に長手方向に長いスリット３′を穿孔してあり、軒天井板２′の長手方向の他端側では立ち上がり縁１ｂ′から取り付け片ａを連出してあり、この取り付け片ａに取り付け孔ｄを穿孔してある。吊り金具ｂは上横片ｂ１と縦片ｂ２と下横片ｂ３とで構成されており、上横片ｂ１を軒下地に固着してあり、下横片ｂ３をスリット３′に差し込むことで軒天井板２′の長手方向の一端側を吊り金具ｂにて吊り支持してある。このように軒天井板２′の長手方向の一端側を吊り金具ｂにて吊り支持した状態で取り付け片ａを軒下地に当接し、取り付け孔ｄから釘、ビス等の固着具ｅを打入して取り付け片ａを固定してある。
【特許文献１】特開２００２−２０１７５５号公報
【発明の開示】
【発明が解決しようとする課題】
【０００５】
上記従来例では、予め吊り金具ｂを軒下地に取り付けておけば、スリット３′を吊り金具ｂの下横片ｂ３に差し込んで軒天井板２′の長手方向の一端側を吊り支持してから軒天井板２′の他端側の取り付け片ａを固着具ｅにて固着することで軒天井板２′を取り付けることができて軒天井板２′の取り付けが容易にできるが、吊り金具ｂの下横片ｂ３にスリット３′を差し込む構造であるため下横片ｂ３の巾よりスリット３′の長さを長くして下横片ｂ３に対してスリット３′ががたつく寸法関係にしてあると共に吊り金具ｂの取り付け位置もずれるおそれがあり、複数枚の軒天井板２′を並べたて取り付けた場合、複数枚の軒天井板２′の長手方向の端縁が真っ直ぐに揃わないように取り付けられるおそれがあり、外観が悪くなるという問題がある。
【０００６】
本発明は上記の従来の問題点に鑑みて発明したものであって、複数枚の軒天井板の長手方向の端縁が真っ直ぐに揃うように取り付けることができる軒天井板の取り付け構造を提供することを課題とするものである。
【課題を解決するための手段】
【０００７】
上記課題を解決するために本発明に係る軒天井板の取り付け構造は、矩形板状の軒天井板２の周縁に立ち上がり縁１を設けると共に軒天井板２の長手方向の両端の立ち上がり縁１に差し込み用のスリット３を夫々設け、軒屋根の軒先側及び軒先側と反対の軒基部側に夫々軒先の長手方向と平行になるように軒梁４，５を架設し、この軒先側及び軒基部側の軒梁４，５の間の下方に軒天井板２の長手方向が軒梁４，５の長手方向と直交すると共に軒梁４，５の長手方向に複数並ぶように複数枚の軒天井板２を並べ、軒先側の軒梁４に取り付けた第１支持金具６の下部に軒基部側に向けて水平に突出するように係止片７を突設し、軒基部側の軒梁５の下面に上の横片８ａと軒先側及び軒基部側の縦片８ｂ，８ｃからなる断面略コ字状の第２支持金具８を取着すると共に第２支持金具８の軒先側の縦片８ｂから他方の縦片８ｃの方に向けて水平方向に突出するように係止片７を突設し、各軒天井板２の長手方向の両端部のスリット３を第１支持金具６及び第２支持金具８の係止片７に夫々差し込み、複数枚の軒天井板２に亙る長さの縁押さえ金具９を第２支持金具８に被せると共に縁押さえ金具９の押さえ片９ａと第２支持金具８の軒先側の縦片８ｂとの間に軒天井板２の立ち上がり縁１を挟んで押さえ片９ａを立ち上がり縁１に押し付けて縁押さえ金具９を第２支持金具８の軒基部側の縦片８ｃに固着したことを特徴とする。
【０００８】
上記のように構成したことにより、予め軒梁４，５に第１支持金具６と第２支持金具８を取り付けておけば、軒天井板２を取り付けるとき、第１支持金具６や第２支持金具８の係止片７にスリット３を差し込むことで軒天井板２の長手方向の端部を第１支持金具６や第２支持金具８に吊り支持するように取り付けることができるものであって、軒天井板２を取り付け施工が容易にできる。また複数枚の軒天井板２に亙る長さの縁押さえ金具９を第２支持金具８に被せると共に縁押さえ金具９の押さえ片９ａと第２支持金具８の軒先側の縦片８ｂとの間に軒天井板２の立ち上がり縁１を挟むと共に押さえ片９ａを立ち上がり縁１に押し付けて縁押さえ金具９を第２支持金具８の軒基部側の縦片８ｃに固着したことにより、縁押さえ金具９の押さえ片９ａにて立ち上がり縁１を押さえて複数枚の軒天井板２の軒基部側の端縁が揃うように軒天井板２を取り付けることができて複数枚の軒天井板２を外観よく取り付けることができると共に軒天井板２が軒天井板２の長手方向にがたついたりしないように取り付けることができる。
【０００９】
また第１支持金具６に、スリット３を係止片７に差し込んだ状態で立ち上がり縁１の上端を下方に押す傾斜片１０を設け、縁押さえ金具９の押さえ片９ａの上端に縁押さえ金具９を第２支持金具８に取り付けて押さえ片９ａを立ち上がり縁１に押し付けたとき立ち上がり縁１の上端を下方に押す傾斜縁１１を設けたことを特徴とすることも好ましい。上記のように構成したことにより、第１支持金具６側では傾斜片１０にて立ち上がり縁１の上端が下方に押さえられ、第２支持金具８側では傾斜縁１１にて立ち上がり縁１の上端が下方に押さえられ、軒天井板２が上下にがたついたりしないように取り付けることができる。
【発明の効果】
【００１０】
本発明は上述のように予め軒梁に第１支持金具と第２支持金具を取り付けておけば、軒天井板を取り付けるとき、第１支持金具や第２支持金具の係止片にスリットを差し込むことで軒天井板の長手方向の端部を第１支持金具や第２支持金具に吊り支持するように取り付けることができるものであって、軒天井板の取り付け施工が容易にできるという作用効果を奏し得るものであり、また縁押さえ金具の押さえ片にて立ち上がり縁を押さえて複数枚の軒天井板の軒基部側の端縁が揃うように軒天井板を取り付けることができて複数枚の軒天井板を外観よく取り付けることができると共に軒天井板が軒天井板の長手方向にがたついたりしないように取り付けることができるという作用効果を奏し得るものである。
【発明を実施するための最良の形態】
【００１１】
以下、本発明を添付図面に示す実施形態に基いて説明する。軒天井板２は図１に示すように矩形板状に形成されており、四周の周縁の全長に亙って立ち上がり縁１が形成されている。この立ち上がり縁１には軒天井板２の長手方向と平行な立ち上がり縁１ａと軒天井板２の短手方向と平行な立ち上がり縁１ｂがあるが、本発明の場合、立ち上がり縁１ｂの方にスリット３を設けてある。各立ち上がり縁１ｂには一対のスリット３を間隔を隔てて穿孔してある。
【００１２】
この軒天井板２を吊り下げて支持する金具として第１支持金具６と第２支持金具８とがあるが、次のように構成されている。第１支持金具６は鋼板等の金属板を板金加工して形成されたピース材であって、鉛直方向を向く縦片６ａと傾斜片１０と水平方向に突出する係止片７とで構成されている。縦片６ａには取り付け孔１５を有しており、縦片６ａの下端から水平に一対の係止片７を突設してあり、一対の係止片７間で縦片６ａの下端から傾斜片１０を突設してある。この傾斜片１０は係止片７より上方に位置しており、水平に対して斜め上方に突出するように傾斜している。係止片７は上記スリット３に挿入し得るものであって、一対の係止片７は一対のスリット３と同じ間隔を隔てて設けてある。
【００１３】
第２支持金具８も鋼板等の金属板を板金加工して形成されたピース材であって、上の水平な横片８ａと両側の鉛直方向を向く一対の縦片８ｂ，８ｃにて断面コ字状に形成されている。一方の縦片８ｂは中央に切り欠き１６を有しており、縦片８ｂの下端から一対の係止片７を水平方向に一体に突設してある。この係止片７も上記スリット３に挿入し得るものであって、一対の係止片７は一対のスリット３と同じ間隔を隔てて設けてある。
【００１４】
また縁押さえ金具９は第２支持金具８のようなピース材でなくて長尺物であり、複数の軒天井板２に亙る長さのものである。この縁押さえ金具９は下の水平な横片９ｂと横片９ｂの両側から上方に垂直に突設した押さえ片９ａ及び固定片９ｃとで断面略コ字状に形成されている。この押さえ片９ａには係止片７を挿通できるスリット１７を穿孔してある。また押さえ片９ａの上端には斜め上方に突出するように傾斜縁１１を設けてある。
【００１５】
図２は上記軒天井板２を用いて軒天井を施工する部分を示すものである。建物１８は３階建てのような集合住宅であって、屋外に２階や３階の廊下１９に対して昇り降りするための屋外階段２０を有しており、建物１８の屋根２７からさらに屋外側に突出して屋外階段２０の上を覆う階段用軒屋根２１を有しており、この階段用軒屋根２１の軒天井部に軒天井板２を貼るようになっている。
【００１６】
図３に示すように階段用軒屋根２１の軒先側及び軒先側と反対の軒基部側には軒の長手方向と平行になるように軒梁４，５を架設してあり、この軒梁４，５は屋外階段２０の骨組に支持してある。この軒梁４，５間にはこの軒梁４，５と直交するように支持梁２２を架設してあり、軒梁４，５や支持梁２２の上には金属屋根材のような屋根材２３を載置してあり、屋根材２３を屋根支持金具２４にて取り付けてある。建物１８の屋根２７の軒先には軒樋２８を架設してあり、軒樋２８と屋根材２３の端部との間は水切板２９で水切りしてある。
【００１７】
階段用軒屋根２１の軒梁４，５の下には図４や図５に示すように上記第１支持金具６や第２支持金具８が取り付けられる。この第１支持金具６や第２支持金具８は軒天井板２を取り付ける間隔で取り付けられる。第１支持金具６は軒先側の軒梁４に取り付けられるのであるが、軒梁４に溶接等で取り付けた支持基板２５に取り付けられる。支持基板２５には第１支持金具６の縦片６ａが支持基板２５に沿わせられ、取り付け孔１５からビス等の固着具２６を打入して第１支持金具６が取り付けられている。この支持基板２５には軒樋支持具３０が取り付けられ、この軒樋支持具３０に軒樋３１が支持されている。軒梁５の下面には第２支持金具８が横片８ａを溶接で固着することで取り付けられている。
【００１８】
このように第１支持金具６や第２支持金具８を軒梁４，５に取り付けた後に軒天井板２が取り付けられるのであるが、軒天井板２を取り付けるとき、第１支持金具６や第２支持金具８の係止片７にスリット３を差し込むことで吊り下げるように取り付けられる。このように係止片７にスリット３を差し込むことで軒天井板２が取り付けられるのであるが、軒天井板２の短手方向に複数枚の軒天井板２が並ぶように取り付けられ、隣り合う軒天井板２が隙間なく隣接するように並べられる。第１支持金具６や第２支持金具８に吊り下げるように軒天井板２を取り付けた後、第２支持金具８に下から長尺で複数枚の軒天井板２に亙る縁押さえ金具９が被せられ、縁押さえ金具９の押さえ片９ａが立ち上がり縁１を介して第２支持金具８の縦片８ｂ側に押し付けられ、縁押さえ金具９の固定片９ｃが第２支持金具８の縦片８ｃに当接され、固定片９ｃから縦片８ｃにビス等の固着具３３が打入されて縁押さえ金具９が第２支持金具８に固定される。
【００１９】
上記のように縁押さえ金具９を第２支持金具８に取り付け、立ち上がり縁１を介して押さえ片９ａを第２支持金具８の縦片８ｂに押し付けるようにすることで複数枚の軒天井板２の軒基部側の端縁が揃えられ、これにより軒天井板２の軒先側の端縁も揃えられ、複数枚の軒天井板２が揃って外観よく取り付けられる。このとき第２支持金具８に被せるように長尺の縁押さえ金具９が取り付けられるので第２支持金具８が下から殆ど見えないように縁押さえ金具９で覆われて軒天井板２の軒基部側の端部が仕舞われ、外観よくできる。また縁押さえ金具９を取り付けて係止片７にスリット３を深く差し込んだとき、第１押さえ金具６の傾斜片１０が立ち上がり縁１の上端に押し付けられると共に縁押さえ金具９の押さえ片９ａの上端の傾斜縁１１が立ち上がり縁１の上端に押し付けられ、軒天井板２が上下にがたつかないように取り付けることができる。軒梁４の下方には軒先側壁パネル３５が立設されており、軒梁４の支持基板２５と軒先側壁パネル３５と間が水切り板３６や防水テープ３７にて防水的に仕舞ってある。
【図面の簡単な説明】
【００２０】
【図１】本発明の実施の形態の一例の軒天井板の取り付ける構造の要部の分解斜視図である。
【図２】同上の軒天井板を施工する場所を説明する建物全体の斜視図である。
【図３】同上の階段用軒屋根の部分の断面図である。
【図４】同上の第１支持金具に軒天井板を支持する部分の構造を示し、（ａ）は分解断面図、（ｂ）は組み立て状態の断面図である。
【図５】同上の第２支持金具に軒天井板を支持する部分の構造を示し、（ａ）は分解断面図、（ｂ）は組み立て状態の断面図である。
【図６】従来例を説明する分解斜視図である。
【符号の説明】
【００２１】
１  立ち上がり縁
２  軒天井板
３  スリット
４  軒梁
５  軒梁
６  第１支持金具
７  係止片
８  第２支持金具
８ａ  横片
８ｂ  縦片
８ｃ  縦片
９  縁押さえ金具
９ａ  押さえ片
１０  傾斜片
１１  傾斜縁
【図１】
2005097920.tif 000003
【図２】
2005097920.tif 000004
【図３】
2005097920.tif 000005
【図４】
2005097920.tif 000006
【図５】
2005097920.tif 000007
【図６】
2005097920.tif 000008